(57)【要約】【課題】下部バーの先端で怪我をするのを防止することができる値札保持具を提供することを目的とする。【解決手段】商品吊下用下部バー１の先端１ａの上後方に配設された上部バー２の先端取着部20に取り付けられる値札保持具である。かつ、先端取着部20に取り付けられる支持部材４と、支持部材４の先端に付設されたカードホルダー５と、を備える。そして、支持部材４が先端取着部20に前方延伸状に取り付けられた取付状態に於て、カードホルダー５は支持部材４の先端に垂下状に保持されかつ下部バー１の先端１ａ前方に配置されるものである。【選択図】図１
0003128221.tif 000002
【実用新案登録請求の範囲】
【請求項１】
商品吊下用下部バー（１）の先端（１ａ）の上後方に配設された上部バー（２）の先端取着部（20）に取り付けられる値札保持具であって、
上記先端取着部（20）に取り付けられる支持部材（４）と、該支持部材（４）の先端に付設されたカードホルダー（５）と、を備え、上記支持部材（４）が上記先端取着部（20）に前方延伸状に取り付けられた取付状態に於て、上記カードホルダー（５）は上記支持部材（４）の先端に垂下状に保持されかつ上記下部バー（１）の先端（１ａ）前方に配置されることを特徴とする値札保持具。
【請求項２】
商品吊下用下部バー（１）の先端（１ａ）の上後方に配設された上部バー（２）の先端取着部（20）に取り付けられる値札保持具であって、
上記先端取着部（20）に取り付けられる支持部材（４）と、該支持部材（４）の先端に揺動自在に枢着されたカードホルダー（５）と、を備え、上記支持部材（４）が上記先端取着部（20）に前方延伸状に取り付けられた取付状態に於て、上記カードホルダー（５）は上記支持部材（４）の先端に前方揺動可能な垂下状に保持されかつ上記下部バー（１）の先端（１ａ）前方に配置されることを特徴とする値札保持具。
【請求項３】
商品吊下用下部バー（１）の先端（１ａ）の上後方に配設された上部バー（２）の先端取着部（20）に取り付けられる値札保持具であって、
上記先端取着部（20）に取り付けられる支持部材（４）と、該支持部材（４）の先端に揺動自在に枢着されたカードホルダー（５）と、を備え、上記支持部材（４）が上記先端取着部（20）に前方延伸状に取り付けられた取付状態に於て、上記カードホルダー（５）は上記支持部材（４）の先端に前方揺動可能な垂下状に保持されかつ上記下部バー（１）の先端（１ａ）前方に配置され、さらに、上記取付状態で、カードホルダー（５）が前方に揺動した水平状姿勢乃至上向き姿勢を保持する係止機構（６）を具備することを特徴とする値札保持具。
【請求項４】
商品吊下用下部バー（１）の先端（１ａ）の上後方に配設された上部バー（２）の上方折れ曲がり状の先端取着部（20）に取り付けられる値札保持具であって、
上記先端取着部（20）に取り付けられる支持部材（４）と、該支持部材（４）の先端に取着されたカードホルダー（５）と、を備え、上記支持部材（４）にはその長手方向に間隔をあけて複数個の差込孔部（７）が形成され、択一的に選択した差込孔部（７）に上記先端取着部（20）を差し込んで支持部材（４）が前方延伸状に取り付けられた取付状態に於て、上記カードホルダー（５）は上記支持部材（４）の先端に垂下状に保持されかつ上記下部バー（１）の先端（１ａ）前方に配置されることを特徴とする値札保持具。
【考案の詳細な説明】
【技術分野】
【０００１】
本考案は、値札保持具に関する。
【背景技術】
【０００２】
コンビニエンスストアやデパート等に設置される商品陳列棚には、商品吊下用のフックハンガーが付設されたものがある。例えば、図17に示すように、フックハンガーＦは、上下平行に設けられた上部バー42と下部バー41とを備え、下部バー41には商品を吊り下げ、上部バー42の先端42ａにはその商品の商品名や価格等を表示した値札（プライスカード）を保持する値札保持具43が取り付けられていた（特許文献１参照）。
【特許文献１】実開平７−３６８１５号公報
【考案の開示】
【考案が解決しようとする課題】
【０００３】
しかし、図17に示す従来のフックハンガーＦは、下部バー41の先端41ａが上部バー42の先端42ａより大きく前方に突出しているので、子供等が下部バー41の先端41ａで目を突いたりして怪我をする危険性があった。
【０００４】
そこで、本考案は、下部バーの先端で怪我をするのを防止することができる値札保持具を提供することを目的とする。
【課題を解決するための手段】
【０００５】
上記目的を達成するために、本考案に係る値札保持具は、商品吊下用下部バーの先端の上後方に配設された上部バーの先端取着部に取り付けられる値札保持具であって、上記先端取着部に取り付けられる支持部材と、該支持部材の先端に付設されたカードホルダーと、を備え、上記支持部材が上記先端取着部に前方延伸状に取り付けられた取付状態に於て、上記カードホルダーは上記支持部材の先端に垂下状に保持されかつ上記下部バーの先端前方に配置されるものである。
【０００６】
また、商品吊下用下部バーの先端の上後方に配設された上部バーの先端取着部に取り付けられる値札保持具であって、上記先端取着部に取り付けられる支持部材と、該支持部材の先端に揺動自在に枢着されたカードホルダーと、を備え、上記支持部材が上記先端取着部に前方延伸状に取り付けられた取付状態に於て、上記カードホルダーは上記支持部材の先端に前方揺動可能な垂下状に保持されかつ上記下部バーの先端前方に配置されるものである。
【０００７】
また、商品吊下用下部バーの先端の上後方に配設された上部バーの先端取着部に取り付けられる値札保持具であって、上記先端取着部に取り付けられる支持部材と、該支持部材の先端に揺動自在に枢着されたカードホルダーと、を備え、上記支持部材が上記先端取着部に前方延伸状に取り付けられた取付状態に於て、上記カードホルダーは上記支持部材の先端に前方揺動可能な垂下状に保持されかつ上記下部バーの先端前方に配置され、さらに、上記取付状態で、カードホルダーが前方に揺動した水平状姿勢乃至上向き姿勢を保持する係止機構を具備するものである。
【０００８】
また、商品吊下用下部バーの先端の上後方に配設された上部バーの上方折れ曲がり状の先端取着部に取り付けられる値札保持具であって、上記先端取着部に取り付けられる支持部材と、該支持部材の先端に取着されたカードホルダーと、を備え、上記支持部材にはその長手方向に間隔をあけて複数個の差込孔部が形成され、択一的に選択した差込孔部に上記先端取着部を差し込んで支持部材が前方延伸状に取り付けられた取付状態に於て、上記カードホルダーは上記支持部材の先端に垂下状に保持されかつ上記下部バーの先端前方に配置されるものであってもよい。
【考案の効果】
【０００９】
本考案は、次のような著大な効果を奏する。
本考案に係る値札保持具によれば、子供等が下部バーの突出した先端で目を突いたりして怪我をするのを防止することができる。言い換えれば、カードホルダーを下部バーの先端の前方に目突き防止盤として配置することができる。
また、本考案の値札保持具を安全対策用として既存のフックハンガーに簡単に取り付けることができ、大幅な改造をする必要がない。
【考案を実施するための最良の形態】
【００１０】
以下、実施の形態に示す図面に基づき本考案を詳説する。
図１〜図11は本考案の第１の実施の形態を示す。図１に於て、10は陳列棚の横バーであり、横バー10には商品30を吊り下げるための金属製のフックハンガーＦが取り付けられている。フックハンガーＦは、上下平行に設けられた上部バー２と下部バー１とを有し、上部バー２と下部バー１とはそれぞれの基端部でコ字形連結部８を介して一体状に連結されている（十手型フックである）。また、横バー10に上方から嵌め合わせる取付部材９に連結部８が溶接されており、横バー10に取付部材９を嵌め合わせた状態で、上部バー２と下部バー１とが横バー10に対し前方へ延伸状に配設される。
【００１１】
上部バー２はその先端に上方折れ曲がり状の先端取着部20を有し、下部バー１の（前方上傾状の）先端１ａは、上部バー２の先端取着部20より下前方に配設されている。そして、図１、図２（ａ）に於て、３で示すのが上部バー２の先端取着部20に取り付けられる本考案の値札保持具である。
本考案の値札保持具３は樹脂製であり、先端取着部20に取り付けられる支持部材４と、支持部材４の先端に付設されたカードホルダー５とを備える。支持部材４が先端取着部20に前方延伸状に取り付けられた取付状態で、カードホルダー５は支持部材４の先端から垂下状に保持され、かつ、下部バー１の先端１ａの前方（近傍）に配置される。また、図２（ａ）に於て、カードホルダー５は支持部材４に枢着点11を中心に揺動自在に枢着され、カードホルダー５は上記取付状態で矢印Ｙに示すように前方に揺動可能となっている。
【００１２】
図２と、値札保持具の平面図を示す図３、及び、図３のＸ−Ｘ断面図である図４とにて、本考案の値札保持具の具体的構成を説明する。以下の説明に於ける「前・後・上・下・左・右」は、値札保持具３が図２（ａ）に示す取付状態のときの前・後・上・下・左・右と同じ方向とする。
カードホルダー５は商品の商品名や価格等を表示した値札Ｃを挿入するスリット13を有する透明樹脂製のホルダー本体12を備えている。また、カードホルダー５は、ホルダー本体12を支持部材４の先端に吊り持ちするための吊持部材16を具備する。吊持部材16は、左右一対の腕部14，14を有し、各腕部14，14の上端内面には揺動軸部材15，15が突設されている。また、左右の腕部14，14は、正面視Π型の連結部材17を介して一体状に連結され、連結部材17の前方に正面視略矩形のベース部材18が付設されている（図４参照）。そして、ベース部材18の前面にホルダー本体12が重なるように取着されている。詳しくは、ホルダー本体12の後面に固着された上下２個の係止爪19，19にてベース部材18が係止保持されている（図２（ａ）参照）。
【００１３】
また、支持部材４は全体として下方開口状に成形された長手部材であり、その先端（前端）には、カードホルダー５の揺動軸部材15，15を上方から挿入して取り付けるための挿嵌孔21，21が貫設されている。挿嵌孔21の下端縁には、図２（ｂ）の要部拡大図に示すように、断面円形の揺動軸部材15を回転自在に受ける円弧状軸受部22を有する。
【００１４】
また、図６に示すように、この値札保持具は、上記取付状態でカードホルダー５を前方に揺動させて水平状姿勢にし、その水平状姿勢を保持する係止機構６を具備している。この係止機構６は、支持部材４の先端に設けられた左右側外方凸状の小突子23，23と、左右の腕部14，14に設けられた係止突片24，24と、を有する。
【００１５】
係止機構６の作用について説明すると、カードホルダー５を枢着点11を中心に前方に揺動させた場合、係止突片24も図５に示す如く枢着点11を中心に（反時計回りに）揺動し、小突子23と当接する。さらに、カードホルダー５をやや強く前方へ揺動させると、係止突片24は僅かに外方に弾性変形して小突子23を乗り越えてゆき、カードホルダー５のホルダー本体12が水平状となる。ホルダー本体12は重力により戻る方向へ（下方へ）揺動しようとするので、それに伴って係止突片24も戻る方向へ揺動し、図６に示すように、係止突片24が小突子23に当接して係止される。
また、係止機構６は、例えば、支持部材４と腕部14のうちの一方に設けられる凸部と、他方に設けられると共に上記凸部と係合又は係止される凹部又は凸部と、からなる雄雌又は雄雄の係止機構であってもよい。
【００１６】
また、腕部14が側外方の外力を受けた場合に、揺動軸部材15が挿嵌孔21から抜け出ないように、揺動軸部材15の内端には抜止め爪部25が設けられている（図４・図９参照）。この抜止め爪部25は、図２（ａ）に示すカードホルダー５が垂下状態で、後方を向くように付設されている。
図４に於て、挿嵌孔21，21の上方には、支持部材４の上面から下方に向かって切り欠いて形成した左右側外方にテーパ状に広がる勾配面26，26が設けられている。また、図９に示すように、勾配面26，26の下端の幅寸法Ｗは、揺動軸部材15，15の各内端の間隔寸法Ｂより大きく形成され、挿嵌孔21へ嵌め込んだ揺動軸部材15が上方へ抜け出ないようになっている。
【００１７】
また、支持部材４の基端（後端）寄りには、上部バー２の先端取着部20が下方から差し込まれる差込孔部７が設けられている。
ところで、図７に示すフックハンガーＦは、上部バー２の先端取着部20と下部バー１の先端１ａとの間の前後長さ寸法Ａ2 が、図２（ａ）のフックハンガーＦの前後長さ寸法Ａ1 よりも長く設定されている。このように、上記前後長さ寸法の異なるフックハンガーＦに対応して、差込孔部７は、支持部材４の長手方向に間隔をあけて２個（複数個）形成され、これらのうちから択一的に選択した差込孔部７に先端取着部20を差し込むようになっている。即ち、図２（ａ）に示すように前後長さ寸法Ａ1 が短い場合は、支持部材４の前方の差込孔部７に先端取着部20を挿入すると、カードホルダー５が下部バー１の先端１ａの前方近傍の適切な位置に配置される。また、図７に示すように前後長さ寸法Ａ2 が長い場合は、後方の差込孔部７に先端取着部20を挿入すると、カードホルダー５が下部バー１の先端１ａの前方近傍の適切な位置に配置される。なお、差込孔部７は１個だけ設けられている場合であってもよく、また、３個以上設けられていてもよい。
【００１８】
次に、図８〜図11に於て、本考案の値札保持具の組み立て方法について説明する。
図８に示すように、最初、吊持部材16のベース部材18には、ホルダー本体12（図２参照）は取り付けられていない。図８に示す如く、支持部材４の先端の上方に抜止め爪部25が下方を向くように吊持部材16を配置する。吊持部材16をこのままの向きで下方に移動させると、抜止め爪部25が勾配面26に接触する。さらに、揺動軸部材15を下方へ強く押し込むと、抜止め爪部25，25が勾配面26，26上を摺動し、腕部14，14は左右側外方へ弾性変形する（図９参照）。そして、抜止め爪部25が勾配面26を通過し終えると、腕部14，14が図９の二点鎖線に示すように弾性復元し、揺動軸部材15が挿嵌孔21に挿入される。
【００１９】
そして、揺動軸部材15が挿嵌孔21に挿入された図10の状態から吊持部材16を揺動軸部材15を中心に時計回りに約90°回転させる。このとき、吊持部材16の係止突片24は小突子23を乗り越えて、図11の矢印Ｚに示すように、揺動軸部材15を中心に時計回りに約90°回転する。
このように、図11に示す如く支持部材４に吊持部材16が揺動自在に取着された状態で、ベース部材18をホルダー本体12の裏面（後面）に固着された係止爪19，19の間にスライドさせて嵌め込んで値札保持具が完成する（図２（ａ）参照）。また、この取付状態で、下部バー１の先端１ａとカードホルダー５の後面との間には、隙間Ｓを有し、この隙間Ｓがあることにより、カードホルダー５が先端１ａへ当たって破損するのを防止している。
【００２０】
図12〜図16は本考案の第２の実施の形態を示す。この値札保持具は、上記取付状態でカードホルダー５を前方に揺動させて上向き姿勢（前方上傾状姿勢）にし、その姿勢を保持する係止機構６を具備している。この係止機構６は、支持部材４の先端に設けられた三角山型の外方凸状の小突子23と、吊持部材16に設けられた三角山型の小突子27と、を有する。
【００２１】
第２の実施の形態の係止機構６の作用について説明すると、カードホルダー５を枢着点11を中心に前方に揺動させた場合、小突子27も枢着点11を中心に（反時計回りに）揺動し、小突子23と当接する。さらに、カードホルダー５をやや強く前方へ揺動させると、吊持部材16は僅かに外方に弾性変形して小突子23を乗り越えてゆき、カードホルダー５のホルダー本体12が上向き（前方上傾状）となる。ホルダー本体12は重力により戻る方向へ（下方へ）揺動しようとするので、それに伴って小突出子27も戻る方向へ揺動し、図12に示すように、小突子27が小突子23に当接して係止される。
また、係止機構６は、例えば、支持部材４と吊持部材16の一方に設けられる凸部と、他方に設けられた凹部（凹溝）と、からなる雄雌の係止機構であってもよい。
第２の実施の形態のその他の構成は、第１の実施の形態と同様である。
【００２２】
第２の実施の形態の値札保持具の組み立て方法に於ては、（第１の実施の形態の場合と同様に）揺動軸部材15が挿嵌孔21に挿入された後、（鉛直方向下向き状態から）吊持部材16を揺動軸部材15を中心に時計回りに約 130°回転させる。このとき、吊持部材16の小突出子27は小突子23を乗り越えて、揺動軸部材15を中心に時計回りに約 130°回転する。
第２の実施の形態の値札保持具の組み立て方のその他の組み立て方は、第１の実施の形態の値札保持具の組み立て方と同様である。
【００２３】
以上のように、本考案である値札保持具は、商品吊下用下部バー１の先端１ａの上後方に配設された上部バー２の先端取着部20に取り付けられる値札保持具であって、先端取着部20に取り付けられる支持部材４と、支持部材４の先端に付設されたカードホルダー５と、を備え、支持部材４が先端取着部20に前方延伸状に取り付けられた取付状態に於て、カードホルダー５は支持部材４の先端に垂下状に保持されかつ下部バー１の先端１ａ前方に配置されるので、子供等が下部バー１の突出した先端１ａで目を突いたりして怪我をするのを防止することができる。言い換えれば、カードホルダー５を下部バー１の先端１ａの前方に目突き防止盤として配置することができる。
また、本考案の値札保持具を安全対策用として既存のフックハンガーＦに簡単に取り付けることができ、大幅な改造をする必要がない。
【００２４】
また、商品吊下用下部バー１の先端１ａの上後方に配設された上部バー２の先端取着部20に取り付けられる値札保持具であって、先端取着部20に取り付けられる支持部材４と、支持部材４の先端に揺動自在に枢着されたカードホルダー５と、を備え、支持部材４が先端取着部20に前方延伸状に取り付けられた取付状態に於て、カードホルダー５は支持部材４の先端に前方揺動可能な垂下状に保持されかつ下部バー１の先端１ａ前方に配置されるので、子供等が下部バー１の突出した先端１ａで目を突いたりして怪我をするのを防止することができる。言い換えれば、カードホルダー５を下部バー１の先端１ａの前方に目突き防止盤として配置することができる。
また、本考案の値札保持具を安全対策用として既存のフックハンガーＦに簡単に取り付けることができ、大幅な改造をする必要がない。
また、下部バー１に吊り下げられた商品を手前へ取り出すときに、カードホルダー５を前方へ揺動させることができるので、カードホルダー５が商品取り出しの妨げとなることがない。
【００２５】
また、商品吊下用下部バー１の先端１ａの上後方に配設された上部バー２の先端取着部20に取り付けられる値札保持具であって、先端取着部20に取り付けられる支持部材４と、支持部材４の先端に揺動自在に枢着されたカードホルダー５と、を備え、支持部材４が先端取着部20に前方延伸状に取り付けられた取付状態に於て、カードホルダー５は支持部材４の先端に前方揺動可能な垂下状に保持されかつ下部バー１の先端１ａ前方に配置され、さらに、取付状態で、カードホルダー５が前方に揺動した水平状姿勢乃至上向き姿勢を保持する係止機構６を具備するので、子供等が下部バー１の突出した先端１ａで目を突いたりして怪我をするのを防止することができる。言い換えれば、カードホルダー５を下部バー１の先端１ａの前方に目突き防止盤として配置することができる。
また、本考案の値札保持具を安全対策用として既存のフックハンガーＦに簡単に取り付けることができ、大幅な改造をする必要がない。
また、下部バー１に吊り下げられた商品を手前へ取り出すときに、カードホルダー５を前方へ揺動させることができるので、カードホルダー５が商品取り出しの妨げとなることがない。さらに、下部バー１へ商品の供給をする際に、カードホルダー５が邪魔にならないように、係止機構６にてカードホルダー５を上記水平状姿勢乃至上向き姿勢に保持しておくことができる。
【００２６】
また、商品吊下用下部バー１の先端１ａの上後方に配設された上部バー２の上方折れ曲がり状の先端取着部20に取り付けられる値札保持具であって、先端取着部20に取り付けられる支持部材４と、支持部材４の先端に取着されたカードホルダー５と、を備え、支持部材４にはその長手方向に間隔をあけて複数個の差込孔部７が形成され、択一的に選択した差込孔部７に先端取着部20を差し込んで支持部材４が前方延伸状に取り付けられた取付状態に於て、カードホルダー５は支持部材４の先端に垂下状に保持されかつ下部バー１の先端１ａ前方に配置されるので、子供等が下部バー１の突出した先端１ａで目を突いたりして怪我をするのを防止することができる。言い換えれば、カードホルダー５を下部バー１の先端１ａの前方に目突き防止盤として配置することができる。
また、支持部材４にはその長手方向に間隔をあけて複数個の差込孔部７が形成されているので、上部バー２の先端取着部20と下部バー１の先端１ａとの前後長さ寸法が異なるフックハンガーＦに対応して、カードホルダー５を下部バー１の先端１ａの前方近傍の適切な位置に配置することができる（図２（ａ）と図７参照）。
また、本考案の値札保持具を安全対策用として既存のフックハンガーＦに簡単に取り付けることができ、大幅な改造をする必要がない。
【図面の簡単な説明】
【００２７】
【図１】本考案の第１の実施の形態の取付状態を示す側面図である。
【図２】取付状態を示す側面図であって、（ａ）は全体側面図、（ｂ）は要部拡大側面図である。
【図３】平面図である。
【図４】図３のＸ−Ｘ断面図である。
【図５】作用説明用要部側面図である。
【図６】作用説明用要部側面図である。
【図７】他の取付状態を示す側面図である。
【図８】組立方法の説明用側面図である。
【図９】組立方法の説明用要部拡大断面図である。
【図１０】組立方法の説明用側面図である。
【図１１】組立方法の説明用側面図である。
【図１２】第２の実施の形態の取付状態を示す側面図である。
【図１３】支持部材の要部拡大側面図である。
【図１４】支持部材の拡大正面図である。
【図１５】吊持部材の要部拡大側面図である。
【図１６】図15の矢印Ｘ方向から見た要部拡大図である。
【図１７】従来の値札保持具を示す側面図である。
【符号の説明】
【００２８】
１  下部バー
１ａ  先端
２  上部バー
４  支持部材
５  カードホルダー
６  係止機構
７  差込孔部
20  先端取着部
【図１】
0003128221.tif 000003
【図２】
0003128221.tif 000004
【図３】
0003128221.tif 000005
【図４】
0003128221.tif 000006
【図５】
0003128221.tif 000007
【図６】
0003128221.tif 000008
【図７】
0003128221.tif 000009
【図８】
0003128221.tif 000010
【図９】
0003128221.tif 000011
【図１０】
0003128221.tif 000012
【図１１】
0003128221.tif 000013
【図１２】
0003128221.tif 000014
【図１３】
0003128221.tif 000015
【図１４】
0003128221.tif 000016
【図１５】
0003128221.tif 000017
【図１６】
0003128221.tif 000018
【図１７】
0003128221.tif 000019